(57)【要約】【課題】  よりよいフォームに矯正または改善できるゴルフ練習具を提供する。【解決手段】  長そで状の上衣の形状をしており、前身頃３と、後見頃５と、腕が通される左右の袖７，７とを備える。前身頃３および後見頃５は、使用者が着用した際に、胸元あたりまでとなる長さとされる。袖口１１は、手の甲側１１ａが、手の内側１１ｂより長く形成されている。袖口１１には、周方向に離隔して４つの切欠き部１３が形成されており、親指以外の各指を通すことができる。通常の上衣のように着用し、袖口１１に形成された４つの切欠き部１３に、それぞれ、人差し指、中指、薬指および小指を通して、この４本の指を袖口１１から外へ出し、ゴルフ用の手袋をはめて、ゴルフクラブ２５を握って構えてスイングをする。【選択図】  図１
2016116656.tif 000002
【特許請求の範囲】
【請求項１】
左右の手から腕を介して肩甲骨間に装着され、
左右両端部には、指が通される切欠き部または孔が形成されている
ことを特徴とするゴルフ練習具。
【請求項２】
左右の肩甲骨間およびそこから左右の腕を介して手まで延出し、
その延出先端部に、指が通される切欠き部または孔が複数形成されている
ことを特徴とするゴルフ練習具。
【請求項３】
長袖状の上衣とされ、
袖口の手の甲側に、前記切欠き部または孔が形成されており、
左右の腕を介して手まで延出する袖は、着用してゴルフクラブを正面に構えた状態において両腕が肩の方向へ引っ張られる程度の長さとされている
ことを特徴とする請求項１または請求項２に記載のゴルフ練習具。
【請求項４】
前記袖口は、手の甲側が内側より長く形成されており、その延出部に前記切欠き部または孔が形成されている
ことを特徴とする請求項３に記載のゴルフ練習具。
【請求項５】
前記上衣のたけは、胸元までとされる
ことを特徴とする請求項１から請求項４までのいずれかに記載のゴルフ練習具。
【発明の詳細な説明】
【技術分野】
【０００１】
本発明は、ゴルフの練習をする際に使用されるゴルフ練習具に関するものである。
【背景技術】
【０００２】
ゴルフにおいては、ゴルフクラブを構えたスタンスの状態から、腰を中心にして両腕と両肩を一連に回転させてゴルフクラブを引き上げ、元の位置にゴルフクラブが戻るようにゴルフクラブを下すことで、ボールをまっすぐに飛ばすことができる。
この一連のスイング動作において、腕と肩の動作がばらばらになってしまうと、だふったり、まっすぐ飛ばなかったりする。また、いわゆる手振りになってしまうと、ボールをまっすぐに飛ばすことができない。そこで、通常、ゴルフをする人は、腕と肩を一連に回転させるように、フォームに気を付けて練習をしている。
【発明の概要】
【発明が解決しようとする課題】
【０００３】
しかしながら、練習において、実際にフォームが崩れていないかを自分自身で確認することができない。また、ビデオなどで撮影して確認したとしても、実際にそのフォームを維持してスイングする練習をすることは困難である。
【０００４】
本発明が解決しようとする課題は、よりよいフォームに矯正または改善できるゴルフ練習具を提供する。
【課題を解決するための手段】
【０００５】
本発明は、前記課題を解決するためになされたもので、請求項１に記載の発明は、左右の手から腕を介して肩甲骨間に装着され、左右両端部には、指が通される切欠き部または孔が形成されていることを特徴とするゴルフ練習具である。
【０００６】
請求項２に記載の発明は、左右の肩甲骨間およびそこから左右の腕を介して手まで延出し、その延出先端部に、指が通される切欠き部または孔が複数形成されていることを特徴とするゴルフ練習具である。
【０００７】
請求項３に記載の発明は、長袖状の上衣とされ、袖口の手の甲側に、前記切欠き部または孔が形成されており、左右の腕を介して手まで延出する袖は、着用してゴルフクラブを正面に構えた状態において両腕が肩の方向へ引っ張られる程度の長さとされていることを特徴とする請求項１または請求項２に記載のゴルフ練習具である。
【０００８】
請求項４に記載の発明は、前記袖口は、手の甲側が内側より長く形成されており、その延出部に前記切欠き部または孔が形成されていることを特徴とする請求項３に記載のゴルフ練習具である。
【０００９】
さらに、請求項５に記載の発明は、前記上衣のたけは、胸元までとされることを特徴とする請求項１から請求項４までのいずれかに記載のゴルフ練習具である。
【発明の効果】
【００１０】
本発明によれば、よりよいフォームに矯正または改善できるゴルフ練習具を提供できる。
【図面の簡単な説明】
【００１１】
【図１】本発明のゴルフ練習具の一実施例を示す正面図である。
【図２】図１のゴルフ練習具の背面図である。
【図３】図１のゴルフ練習具を着用した状態における手元部分を手の甲側から見た図である。
【図４】図３の状態を側部から見た図である。
【図５】図１のゴルフ練習具を着用してゴルフクラブを構えた状態を示す図である。
【図６】図１のゴルフ練習具の変形例を示す斜視図である。
【発明を実施するための形態】
【００１２】
以下、本発明のゴルフ練習具の一実施例について図面に基づいて具体的に説明する。
【００１３】
図１は、本発明のゴルフ練習具の一実施例を示す図であり、図１は正面図、図２は背面図である。
また、図３は、図１のゴルフ練習具を着用した状態における手元部分を手の甲側から見た図であり、図４は図３の状態を側部から見た図である。
さらに、図５は、図１のゴルフ練習具を着用してゴルフクラブを構えた状態を示す図である。
【００１４】
本実施例のゴルフ練習具１は、長そで状の上衣の形状をしている。
具体的には、前身頃３と、後見頃５と、腕が通される左右の袖７，７とを主要部に備えるプルオーバー型の上衣の形状とされる。
但し、図示例のように、前身頃３および後見頃５は、使用者が着用した際に、胸元あたりまでとなる長さとされるのが好適な体の動きを得る上で好ましい。
【００１５】
また、本実施例では、袖口１１は、手の甲側１１ａが、手の内側１１ｂより長く形成されている。
【００１６】
この袖口１１には、周方向に離隔して４つの切欠き部１３が形成されており、親指以外の各指を通すことができる。本実施例では、袖口１１のうち、手の甲側（外側）１１ａに、切欠き部１３が形成されている。
【００１７】
このような構成の本実施例のゴルフ練習具１を使用して練習する場合、通常の上衣のように着用し、さらに、袖口に形成された４つの切欠き部１３に、それぞれ、人差し指、中指、薬指および小指を通して、この４本の指を袖口１１から外へ出す。
そして、ゴルフ用の手袋をはめて、図５に示すように、ゴルフクラブ２５を握って構え、スイングをすればよい。
【００１８】
本実施例のゴルフ練習具１の袖７の長さは、ゴルフ練習具１を着用して、図５のように、ゴルフクラブを正面に構えた状態、つまり、少し前かがみで両手を合わせるように両腕を下方へ伸ばした状態において、両腕が若干肩の方向へ引っ張られる感じを得る程度の長さとされる。
【００１９】
本実施例では、両手の指から、両腕、両肩特に肩甲骨付近にわたって、一連状の生地により繋がれている、つまり拘束されていることで、両肩および両腕が連動してスイングすることができる。具体的には、本実施例のゴルフ練習具１を装着して腕を伸ばした状態では、腕が肩の方へ引っ張られる感じがする。そのため、スイングにおけるテークバック中では、腕をしっかり伸ばそうとすることで、肩が自然とまわり、手振りが防止され、正しい基本的なスイングを支援することができる。このように、本実施例では、腕が肩の方へ引っ張られる感じがするため、腕をしっかり伸ばそうとすることで、より一層、両肩および両腕が連動してスイングすることができる。
【００２０】
本実施例のゴルフ練習具１は、その着丈が、つまり、前身頃３および後見頃５が胸元あたりまでとされることで、スイングした際に、前身頃３や後見頃５がよじれ難い
また、本実施例では、袖口１１は、手の甲側１１ａが、手の内側１１ｂより長く形成されていることで、ゴルフクラブを握った際に、ゴルフ練習具１の生地をできるだけ挟まなくてすむ。
【００２１】
上記実施例では、袖口１１において、手の甲側１１ａを長く形成したが、手の甲側１１ａと手の内側１１ｂを同じ長さにして、通常の袖口の形状としてもよい。
また、この際、袖口に、周方向に沿って切欠き部１３を多数形成して、任意の切欠き部に指を通すようにしてもよい。
【００２２】
本実施例のゴルフ練習具１は、その生地の種類は、特に問わないが、ストレッチ性を有する生地を適宜使用するのが好ましい。
【００２３】
上記実施例のゴルフ練習具１は、上衣の形状としたが、両肩、特に両肩甲骨および両手をつなぐような形状であれば、上衣（服）の形状である必要性はない。
たとえば、図６に示すように、帯状として、その両端部に指が通される切欠き部１３を形成する。図示例では、肩または腕が通される環状のショルダー部３１が設けられている。そして、ショルダー部３１に腕を通して、手から、両肩、特に肩甲骨付近を架け渡すように装着し、両端部の切欠き部１３に指を通して、上記実施例と同様に使用すればよい。
【００２４】
本発明のゴルフ練習具は、上記実施例の構成に限らず、適宜変更可能である。
たとえば、上記実施例では、プルオーバー型の上衣の形状としたが、前身頃を左右に分離して、いわゆる前開きの上衣の形状としてもよい。
【００２５】
また、上記実施例では、袖口１１に指が通される切欠き部１３が形成されたが、指が通される孔としてもよい。
【符号の説明】
【００２６】
１  ゴルフ練習具
７  袖
１１  袖口
１３  切欠き部
【図１】
2016116656.tif 000003
【図２】
2016116656.tif 000004
【図３】
2016116656.tif 000005
【図４】
2016116656.tif 000006
【図５】
2016116656.tif 000007
【図６】
2016116656.tif 000008